(57)【要約】【課題】発光ダイオードを実装する回路基板をモデルチェンジ後にそのまま使用しても、演出用照明部による演出効果を期待通りに上げられる発光ダイオードの実装台を提供する。【解決手段】発光ダイオードＨの実装台４０は、遊技機内に設けられた回路基板１６ｂ，１７ｂに実装される発光ダイオードＨに近接した位置の回路基板上に着脱可能であり回路基板上に実装されると先端面が回路基板と略平行に延びる第１載置台４１と、この上に着脱可能であり先端面５１ａが傾斜した第２載置台５０と、第１載置台４１及び第２載置台５０のいずれの上部に着脱可能であり、第１載置台４１又は第２載置台５０の先端面に沿って延びる発光ダイオードＨのリード線Ｈｂを先端面に押さえ付ける固定部材６０を備える。第１載置台４１及び第２載置台５０の各先端面、固定部材６０の内面の少なくともいずれかにリード線Ｈｂを収容する溝部４６を設ける。【選択図】図９
2007260284.tif 000002
【特許請求の範囲】
【請求項１】
遊技機内に設けられる回路基板に発光ダイオードを実装する際に用いられる発光ダイオードの実装台であって、
前記回路基板に実装される発光ダイオードに近接した位置の前記回路基板上に着脱可能であり前記回路基板上に実装されると先端面が該回路基板と略平行に延びる第１載置台と、
前記第１載置台上に着脱可能であり先端面が傾斜した第２載置台を備え、
前記第１載置台を前記回路基板上に取り付け又は前記回路基板上に取り付けた前記第１載置台上に前記第２載置台を１又は２以上重ね、最上段の載置台の先端面に沿うように前記発光ダイオードのリード線を折り曲げて、該発光ダイオードを前記回路基板に実装することを特徴とする発光ダイオードの実装台。
【請求項２】
前記第１載置台及び前記第２載置台のいずれの先端部に着脱可能であり、前記第１載置台及び前記第２載置台のいずれかの先端面に沿って延びる前記発光ダイオードのリード線を前記先端面に押さえ付けて固定する固定部材を備えることを特徴とする請求項１に記載の発光ダイオードの実装台。
【請求項３】
前記第１載置台の前記先端面、前記第２載置台の前記先端面及び前記固定部材の内側面の少なくともいずれかに、前記発光ダイオードのリード線を収容する溝部を設けることを特徴とする請求項１又は２に記載の発光ダイオードの実装台。
【発明の詳細な説明】
【技術分野】
【０００１】
本発明は、発光ダイオードの実装台に関し、さらに詳細には、パチンコ、スロット、雀球機及びゲームセンターに設けられたゲーム機等の遊技機において、所定の条件下で発光する発光ダイオードを回路基板に実装するときに用いられる発光ダイオードの実装台に関する。
【背景技術】
【０００２】
遊技機の一例であるスロットマシンは、遊技者がストップボタンを任意の順番で押圧操作すると、それに従い順次対応するリールが停止し、全てのリールが停止した後、各リールに表示された図柄が内部抽選した入賞役に係る図柄と一致すると、入賞役の種類に応じた枚数のメダルの払い出しが可能になるとともに、リールの周辺に配設された演出用照明部が遊技者の視覚に訴える演出表示を行うように構成されている。
【０００３】
この演出用照明部は、その一例として、特許文献１に記載されているように、遊技中に点灯及び点滅する発光ダイオードの光源ランプをフロントパネルの前側に設け、この光源ランプを覆うようにフロントパネルにカバー部材を取り付けて構成されている。
【０００４】
【特許文献１】特開２００５−１４３６５２号公報（図５（ａ））
【発明の開示】
【発明が解決しようとする課題】
【０００５】
この光源ランプを構成する発光ダイオードは、発光部とこれから延びる２本のリード線を有し、これらのリード線が回路基板に電気的に接続されて回路基板に実装されるが、リード線が回路基板から長く延びた状態で発光ダイオードを実装すると、リード線が曲がる虞があり、リード線が曲がると、所望の演出効果が得られなくなる虞が生じる。そこで、発光ダイオードの発光部を回路基板に近接させた状態で、発光ダイオードは回路基板に実装されている。
【０００６】
このような演出用照明部を備えるスロットマシン等の遊技機は、モデルチェンジが行われると、カバー部材の形状やこれに施された意匠が変更する場合がある。このような場合に、発光ダイオードを搭載した回路基板をそのまま使用できれば、モデルチェンジ後の遊技機のコストを安価にすることができるが、モデルチェンジ前の回路基板をそのまま使用すると、モデルチェンジ後のカバー部材による演出効果が期待通りにならないという場合が生じる。そこで、モデルチェンジに対応した新たな回路基板を設計すると、フロントパネル上の配置スペースが困難になったり、コストが上がったりするという問題が生じる。
【０００７】
そこで、回路基板はそのままで、実装される発光ダイオードの一部をリード線が曲がったアングルタイプのものを使用すると、光の向きが変わって、モデルチェンジ前のカバー部材には無かったモデルチェンジ後のカバー部材の部分に光を当てることができる。しかしながら、アングルタイプの発光ダイオードは、曲がった部分より先端側のリード線が回路基板に電気的に接続されるので、回路基板から延びるリード線の長さが長いとリード線が曲がる虞が生じる。このため、アングルタイプの発光ダイオードは、リード線が真っ直ぐに延びた発光ダイオードの場合と同様に、発光ダイオードの発光部が回路基板上に近接するように実装されるのが通常である。つまり、アングルタイプの発光ダイオードは、回路基板に対する高さ方向の配置の自由がない。
【０００８】
このため、モデルチェンジ前の回路基板にアングルタイプの発光ダイオードを使用しても、モデルチェンジ後のカバー部材による演出効果を期待通りに上げることが難しく、モデルチェンジに対応した新たな回路基板を製造しているのが現状である。このように従来の遊技機に搭載された発光ダイオードを実装する回路基板は、モデルチェンジ後にそのまま使用すると演出用照明部による演出効果を期待通りに上げることができないという課題がある。
【０００９】
本発明は、このような課題を解決するためになされたものであり、発光ダイオードを実装する回路基板をモデルチェンジ後にそのまま使用しても、演出用照明部による演出効果を期待通りに上げることができる発光ダイオードの実装台を提供することを目的とする。
【課題を解決するための手段】
【００１０】
このような課題を解決するため、本発明は、遊技機（例えば、実施形態におけるスロットマシン１）内に設けられる回路基板に発光ダイオードを実装する際に用いられる発光ダイオードの実装台であって、回路基板に実装される発光ダイオードに近接した位置の回路基板上に着脱可能であり回路基板上に実装されると先端面が該回路基板と略平行に延びる第１載置台と、第１載置台上に着脱可能であり先端面が傾斜した第２載置台を備え、第１載置台を回路基板上に取り付け又は回路基板上に取り付けた第１載置台上に第２載置台を１又は２以上重ね、最上段の載置台の先端面に沿うように発光ダイオードのリード線を折り曲げて、該発光ダイオードを回路基板に実装することを特徴とする。
【００１１】
この発明によれば、遊技機に設けられる回路基板に発光ダイオードを実装する実装台は、第１載置台と第２載置台を備え、第１載置台を回路基板上に取り付け又は回路基板上に取り付けた第１載置台上に第２載置台を１又は２以上重ね、最上段の載置台の先端面に沿うように発光ダイオードのリード線を折り曲げて、該発光ダイオードを回路基板に実装することにより、発光ダイオードを回路基板に対して所望の高さ及び角度を有して回路基板に実装することができる。このため、例えば、遊技機のモデルチェンジが行われて、発光ダイオードを備える遊技機の照明部の形状等が変更された場合、モデルチェンジされた遊技機にモデルチェンジ前の照明部の回路基板をそのまま使用し、この回路基板上に発光ダイオードを第１載置台や第２載置台によって実装すると、モデルチェンジ後の照明部による演出効果を期待通りに発揮させることができる。このため、遊技機のコストを安価にすることができる。
【００１２】
また本発明は、第１載置台及び第２載置台のいずれの先端部に着脱可能であり、第１載置台及び第２載置台のいずれかの先端面に沿って延びる発光ダイオードのリード線を先端面に押さえ付けて固定する固定部材を備えることを特徴とする。
【００１３】
この発明によれば、第１載置台及び第２載置台のいずれの先端部に着脱可能な固定部材を備えることにより、発光ダイオードを載置台上に確実に固定することができ、発光ダイオードの位置が振動等によってずれる事態を防止することができる。
【００１４】
また本発明は、第１載置台の先端面、第２載置台の先端面及び固定部材の内側面の少なくともいずれかに、発光ダイオードのリード線を収容する溝部を設けることを特徴とする。
【００１５】
この発明によれば、第１載置台の先端面、第２載置台の先端面及び固定部材の内側面の少なくともいずれかに、発光ダイオードのリード線を収容する溝部を設けることで、載置台に対する発光ダイオードの向きを常に溝部に沿った方向にすることができ、発光ダイオードの実装位置のずれを抑制することができる。
【発明の効果】
【００１６】
本発明によれば、発光ダイオードの実装台は、第１載置台と第２載置台を備え、第１載置台を回路基板上に取り付け又は回路基板上に取り付けられた第１載置台上に第２載置台を１又は２以上重ね、最上段の載置台の先端面に沿うように発光ダイオードのリード線を折り曲げて、該発光ダイオードを回路基板に実装することにより、モデルチェンジ後の遊技機にモデルチェンジ前の発光ダイオードを実装する回路基板をそのまま使用しても、この回路基板に実装する発光ダイオードを有する照明部による照明効果を期待通りに上げることができる。
【発明を実施するための最良の形態】
【００１７】
以下、本発明に係わる発光ダイオードの実装台の好ましい実施の形態を図１から図９に基づいて説明する。本実施の形態は、発光ダイオードの実装台を、遊技機の一例であるスロットマシンに搭載した場合について説明する。
【００１８】
スロットマシン１は、図１（正面図）及び図２（内部構造図）に示すように、遊技者に面する側にいわゆるフロントマスク２が形成された前扉３が略矩形状の箱体である筐体３０の開口部に対して図示しない蝶番機構により開閉可能に取り付けられている。フロントマスク２は、上から上パネル部２ａ、中パネル部２ｂ、下パネル部２ｃに概ね分けられ、これらは化粧板として視覚効果を高めてデザインされた硬質プラスチックにより一体的に形成されている。また、下パネル部２ｃの下方には、メダルを貯留するための受け皿４ａを備える受皿ユニット４が設けられている。
【００１９】
上パネル部２ａには、詳細については後述するが、高輝度の発光ダイオードを内蔵した上部ランプ１６及びコーナーランプ１７等の効果ランプが配置され、リーチや大当たり等の際に点灯または点滅して遊技者の視覚に訴える演出を行っている。また、上パネル部２ａの左右位置には、それぞれスピーカを内蔵した放音部６ａ、６ｂが設けられ、効果音や楽音等によるゲームの演出を行っている。更に、各放音部６ａ、６ｂに挟まれる中央位置には、液晶表示ユニット７が配設されている。
【００２０】
なお、液晶表示ユニット７は、ゲームの進行に応じて適宜選択される動画像を表示して当該ゲームにストーリー性を与えたり、また、ボーナスゲーム等の大当たりの際には、よりダイナミックな画像が表示されて、遊技者に高配当の期待感を引き起こしたりする等の演出を行っている。
【００２１】
中段の中パネル部２ｂには、その中央に略長方形の透明な表示窓８ａが形成されたパネル板としての中パネル板８が取り付けられている。そして、この表示窓８ａを通して、筐体３０内に設けられている円筒状の３個のリール２２，２３，２４を遊技者が目視できるように構成されている。
【００２２】
これら３個のリール２２，２３，２４を備えるリール装置２１は、後述のスタートレバー１３がオン操作されると、これらリール２２，２３，２４が略同時に回転動作を開始し、また、後述のストップボタン１４ａ，１４ｂ，１４ｃがオン操作（ストップ操作）されると、そのストップ操作された順番に従って、回転中のリール２２，２３，２４が順次に停止するように、所定の制御が行われるようになっている。
【００２３】
また、リール２２，２３，２４の夫々の外周面には、周方向に沿って所定個数及び所定の大きさの図柄が描かれており、表示窓８ａを介して各リール２２，２３，２４に描かれている図柄を一つずつ視認することができる。
【００２４】
また、図示はしていないが中パネル板８の前面適宜の位置には、内部当選した役を告知する告知表示部やクレジット数等を表示する数値表示部等の遊技情報を表示するための表示部が形成されている。
【００２５】
中パネル板８の下方には、前方に若干突出した操作卓９と呼ばれる卓状部が形成され、ここには、ゲームに使用するメダルを投入するための投入口を有するメダル投入部１１と、ゲームの操作を指示するためのベットボタン１２、スタートレバー１３、及び３個のストップボタン１４ａ，１４ｂ，１４ｃ等が配設されている。
【００２６】
ベットボタン１２は、ゲームに賭けるメダルの枚数を提示するための押圧式のボタンスイッチである。スタートレバー１３は、リール２２，２３，２４を一斉に回転させる指示をするためのレバースイッチであり、先端に球形の操作ノブを有するレバーを上下左右の何れかの方向に傾動操作するとオン作動し、レバーから手が離されるとスプリングの付勢力によって自動的に元の位置に戻ってオフ作動するように構成されている。
【００２７】
ストップボタン１４ａ，１４ｂ，１４ｃは、各リール２２，２３，２４の回転停止を個別に指示するための押圧式のボタンスイッチであり、各リールの配列に対応してそれぞれ並設されている。
【００２８】
フロントマスク２の下パネル部２ｃには、スロットマシン１のモデルタイプ等を遊技者へ認識させるための、例えば登場キャラクターの絵柄（図示略）などが印刷されて表示されている。
【００２９】
前扉３の最下部に設けられた受皿ユニット４には、入賞配当等によりメダルを払い出すメダル払出口１５と、スピーカを内蔵しゲームの進行に応じて演出効果音を発生させる放音部１８ａ、１８ｂとがそれぞれ配設されている。
【００３０】
かかる構造のスロットマシン１は、先のゲームにおいて入賞しメダルの払い出しが完了した時、または先のゲームにおいてハズレが確定すると待機状態となる。この状態において、遊技者がメダル投入部１１よりメダルを投入すると、そのメダルがクレジットに加算され内部貯留される。
【００３１】
この状態で遊技者がベットボタン１２を押圧操作すると、クレジットされたメダルの一部が当該ゲームに賭けられゲームが開始する。そして、遊技者がスタートレバー１３を傾動操作すると、全てのリール２２，２３，２４が一斉に回転し、これと同時に入賞役が内部的な処理で乱数抽選される。
【００３２】
次に、遊技者がストップボタン１４ａ，１４ｂ，１４ｃを任意の順番で押圧操作すると、それに従い順次対応するリールが停止し、全てのリール２２，２３，２４が停止した後、各リールに表示された図柄の組合せと上述の内部抽選した入賞役に係る図柄の組合せとが一致しているか否かが判定される。これらが一致したときには当該入賞が確定し、その入賞役の種類に応じた枚数のメダルがクレジットに加算され配当される。入賞の配当によりクレジットの上限を超える場合には、その超過した枚数分のメダルがメダル払出口１５より受皿ユニット４へ払い出される。
【００３３】
このように、スロットマシン１の遊技者は、リール２２，２３，２４を回転・停止させる遊技操作を行って、表示窓８ａに変動表示した図柄が揃わなければ賭けたメダルを失うが、予め定められた組合せで図柄が揃い入賞が成立すると賭けた枚数以上のメダルを獲得し得るので、技量と運とによりメダルを増やすという興趣を伴った勝敗ゲームを楽しむことができる。
【００３４】
次に、フロントパネル２の裏面側について説明する。フロントパネル２の裏面側の上部には、前述した放音部６ａ，６ｂのスピーカＳＲ，ＳＬが設けられ、スピーカＳＲ，ＳＬの間には演出表示装置１９が設けられている。演出表示装置１９の裏側には、サブ制御基板２６を収容した基板ケース２５が取り付けられている。
【００３５】
サブ制御基板２６は、演出表示装置１９によって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板２６は、主制御基板３５からの制御信号に従って、上部ランプ１６、コーナーランプ１７とスピーカＳＲ、ＳＬ、ＳＷを駆動して遊技者の視覚及び聴覚に訴える演出を行うと共に、演出表示装置１９を制御して演出表示装置１９による遊技内容に応じた演出表示を行わせる。
【００３６】
演出表示装置１９の下方には、前述した表示窓８ａを形成した略長方形状の枠部材２７が取り付けられており、この枠部材２７の下方には、メダル投入部１１より投入された投入物が正規の遊技メダルか否かを判別して振り分けるセレクト機構Ｇ０と、セレクト機構Ｇ０で振り分けられた遊技メダルを筐体３０側に設けられたホッパ装置ＨＰへ案内するガイド部材Ｇ１と、セレクト機構Ｇ０で振り分けられた異物をメダル払出口１５へ案内するガイド部材Ｇ２と、ホッパ装置ＨＰから出力される払い出し用のメダルをメダル払出口１５へ案内するガイド部材Ｇ３とが設けられている。メダル払出口１５の近傍には、前述した放音部１８ａ，１８ｂを構成するスピーカＳＷが取り付けられている。
【００３７】
枠部材２７とセレクト機構Ｇ０との間には、長尺状の電気回路基板で形成された中央表示基板２８が取り付けられている。この中央表示基板２８には、前述した操作卓９に設けられているベットボタン１２と、スタートレバー１３と、ストップボタン１４ａ，１４ｂ，１４ｃ等が電気的に配線接続され、これらのボタン１２，１３，１４ａ，１４ｂ，１４ｃの出力信号はハーネスを介して筐体３０に設けられた主制御基板３５に転送されるようになっている。
【００３８】
筐体３０内には、主電源装置ＰＷＵと、ホッパ装置ＨＰから溢れた遊技メダルを収容する補助貯留部ＳＨＰが設けられる他、前述したリール装置２１が設けられている。主電源装置ＰＷＵの側面には電源装置基板３６が取り付けられ、リール２２，２３，２４の上方には回胴装置基板３７が取り付けられ、回胴装置基板３７の上方には前述した主制御基板３５が取り付けられている。主制御基板３５は、半導体メモリ（ＲＯＭ）とマイクロプロセッサ（ＭＰＵ）等が搭載されており、このマイクロプロセッサＭＰＵが、半導体メモリＲＯＭに予め記憶されているシステムプログラムとスロットマシンゲーム用のプログラムを実行し、電源装置基板３６、回胴装置基板３７及びサブ制御基板２６に所定の指令を行って夫々に分散制御を行わせることにより、本スロットマシン１全体を集中制御する。
【００３９】
回胴装置基板３７は、各リール２２，２３，２４を回転駆動するためのステッピングモータに、主制御基板３５から供給される制御信号に従ってパルス幅制御を施した電力を供給することにより、各ステッピングモータの回転と制動及び停止の制御を行って、リール２２，２３，２４の回転動作を制御する。
【００４０】
このように構成されたスロットマシン１の上パネル部２ａに設けられた上部ランプ１６及びコーナーランプ１７に本発明の発光ダイオードの実装台が適用されている。上部ランプ１６は、図１及び図３（ａ）（側面図）に示すように、上パネル部２ａの中央部に形成されたカバー部材中央１６ａと、カバー部材中央１６ａの背面側に配置されて上パネル部２ａに取り付けられた回路基板１６ｂに実装された多数の発光ダイオードＨとを有してなる。コーナーランプ１７は、上パネル部２ａの左右両側部に形成されたカバー部材側部１７ａと、カバー部材側部１７ａの背面側に配置されて上パネル部２ａに取り付けられた回路基板１７ｂに実装された多数の発光ダイオードＨとを有してなる。
【００４１】
カバー部材中央１６ａ及びカバー部材側部１７ａは、部材全体が光透過性を有する材料で形成され、光を通さない部分を非透過性部材等で覆うようにして成型されている。
【００４２】
回路基板１６ｂ，１７ｂは、図３（ａ）及び図３（ｂ）（図３（ａ）のIII−III矢視に相当する断面図）に示すように、それぞれに対応するカバー部材中央１６ａ及びカバー部材側部１７ａに対向して配置されている。
【００４３】
これらの回路基板１６ｂ，１７ｂには、内側が導電材料でメッキされたスルーホールが互いに所定間隔を有して多数設けられており、このスルーホールに近接した位置に係合孔部１６ｃ、１７ｃが所定間隔を有して設けられている。このスルーホールに発光ダイオードＨのリード線Ｈｂが挿入され、係合孔部１６ｃ，１７ｃに発光ダイオードＨを回路基板１６ｂ，１７ｂに実装するための実装台４０が挿着される。
【００４４】
発光ダイオードＨは、所定波長の光を出す発光部Ｈａと、発光部Ｈａに電力を供給するため発光部Ｈａの底部から延びる一対のリード線Ｈｂを有して構成される。リード線Ｈｂは金属材料で形成された棒状部材であり、スルーホールに挿通可能である。
【００４５】
この発光ダイオードＨを回路基板１６ｂ，１７ｂに実装する際に用いられる実装台４０は、回路基板１６ｂ，１７ｂに設けられた係合孔部１６ｃ，１７ｃを介して回路基板１６ｂ，１７ｂに着脱可能な第１載置台４１と、第１載置台４１上に着脱可能な第２載置台５０と、第１載置台４１及び第２載置台５０のいずれの上部に着脱可能な固定部材６０とを備える。
【００４６】
第１載置台４１は、絶縁性を有する材料（例えば、合成樹脂材料）で一体成型され、図３（ａ）、図４（ａ）（平面図）、図４（ｂ）（正面図）及び図４（ｃ）（側面図）に示すように、直方体形状を有する第１台本体部４２を備える。第１台本体部４２は、先端面４２ａと底面４２ｂが略平行に延びるように構成されており、第１台本体部４２を回路基板１６ｂ，１７ｂ上に取り付けると、底面４２ｂが回路基板１６ｂ，１７ｂ上に接触し、先端面４２ａは回路基板１６ｂ，１７ｂと略平行に延びる。第１台本体部４２の両側端部には下方へ延びて第１台本体部４２を回路基板１６ｂ，１７ｂに係止する第１係止部４４が設けられ、第１台本体部４２の両側端部の上部には、外側へ突出する第１係合突起部４５が前後方向に複数（図面では２つ）設けられている。
【００４７】
また第１台本体部４２の先端面４２ａには、発光ダイオードＨの一対のリード線Ｈｂのそれぞれを収容可能な溝部４６が一対形成されている。溝部４６の断面形状はリード線Ｈｂを収容可能な形状であればよく、半円状、矩形状等でもよい。第１係止部４４は、第１台本体部４２から延びる脚部４４ａと、脚部４４ａの先端部に設けられて外側へ突出する第１係止突起部４４ｂとを有してなる。第１係止部４４は片持ち支持された状態で延びて第１係止突起部側が撓み変形可能である。
【００４８】
第２載置台５０は、図３（ａ）、図５（ａ）（平面図）、図５（ｂ）（正面図）及び図５（ｃ）（側面図）に示すように、絶縁性を有する材料（例えば、合成樹脂材料）で一体成型され、直方体形状を有する第２台本体部５１を備える。第２台本体部５１は、先端面５１ａが底面５１ｂに対して鋭角を有して傾斜しており、第２台本体部５１を第１台本体部４２上に載置すると、底面５１ｂは第１台本体部４２の先端面４２ａに接触して、先端面５１ａは回路基板１６ｂ、１７ｂに対して傾斜する。第２台本体部５１の両側端部には下方へ延びて第１台本体部４２の第１係合突起部４５と係止可能な第２係止部５２が設けられている。
【００４９】
この第２係止部５２は、第２台本体部５１から延びる腕部５２ａと、腕部５２ａの先端部内側から突出して第１係合突起部４５と係止する第２係止突起部５２ｂと、腕部５２ａの先端部外側から突出する操作片５２ｃとを有する。第２係止部５２は片持ち支持された状態で延びて、操作片５２ｃが内側に押圧されと腕部５２ａが撓み変形して第２係止突起部５２ｂが外側に移動して、第１係合突起部４５との係合状態を解除可能である。第２台本体部５１の両側端部の上部には、外側へ突出して先端面５１ａと略平行に延びる第２係合突起部５４が前後方向に複数（図面では２つ）設けられている。また第２台本体部５１の先端面５１ａには、発光ダイオードＨの一対のリード線Ｈｂのそれぞれを収容可能な溝部４６が一対形成されている。この溝部４６は、前述した第１載置台４１のものと同様であるので、その説明は省略する。
【００５０】
固定部材６０は、図３（ａ）、図６（ａ）（平面図）、図６（ｂ）（正面図）及び図６（ｃ）（側面図）に示すように、絶縁性を有する材料（例えば、合成樹脂材料）で一体成型され、板状の固定本体部６１を備える。固定本体部６１の両側端部には下方へ延びて第２載置台５０の第２係合突起部５４又は第１載置台４１の第１係合突起部４５と係止可能な固定係止部６２が設けられている。
【００５１】
この固定係止部６２は、固定本体部６１から延びる腕部６２ａと、腕部６２ａの先端部内側から突出して第２係合突起部５４と係止する固定係止突起部６２ｂと、腕部６２ａの先端部外側から突出する操作片６２ｃとを有する。固定係止部６２は片持ち支持された状態で延びて、操作片６２ｃが内側に押圧されると腕部６２ａが撓み変形して固定係止突起部６２ｂが外側に移動して、第２係合突起部５４との係合状態を解除可能である。固定本体部６１の底面６１ｂには、発光ダイオードＨの一対のリード線Ｈｂのそれぞれを収容可能な溝部４６が一対形成されている。この溝部４６は、前述した第１載置台４１のものと同様であるので、その説明は省略する。
【００５２】
このように構成された実装台４０は、第１載置台４１上に重ねる第２載置台５０の数を増すに従って、最上段に配置された第２載置台５０の先端面５１ａを回路基板１６ｂ，１７ｂの表面に対して高い位置に配置することができるとともに、先端面５１ａの傾斜角度を大きくすることができる。
【００５３】
例えば、発光ダイオードＨの発光部Ｈａを回路基板１６ｂ，１７ｂに近接した位置に配置するとともに、発光部Ｈａから出る光の方向を回路基板１６ｂ，１７ｂの表面に沿った方向にする場合には、図７（ａ）（斜視図）に示すように、回路基板１６ｂ，１７ｂに取り付けられた発光ダイオードＨの近接した位置に第１載置台４１のみを回路基板１６ｂ，１７ｂ上に取り付ける。そして、図７（ｂ）（斜視図）に示すように、発光ダイオードＨの一対のリード線Ｈｂが第１載置台４１の溝部４６内に沿って収容されるように、リード線Ｈｂを折り曲げる。その結果、発光ダイオードＨは、回路基板１６ｂ，１７ｂの表面に近接した位置で且つ発光部Ｈａが横方向に向いた状態で回路基板１６ｂ，１７ｂに実装される。また、図７（ｃ）（斜視図）に示すように、第１載置台４１の上部に固定部材６０を装着すると、発光ダイオードＨのリード線Ｈｂを第１載置台４１に確実に固定することができる。
【００５４】
また発光ダイオードＨの発光部Ｈａの位置を回路基板１６ｂ，１７ｂの表面からより高い位置に配置するとともに、発光部Ｈａを傾斜させたい場合には、図８（ａ）（斜視図）に示すように、回路基板１６ｂ，１７ｂに取り付けられた第１載置台４１の上部に第２載置台５０を装着する。そして、図８（ｂ）（斜視図）に示すように、発光ダイオードＨの一対のリード線Ｈｂが第２載置台５０の溝部４６内に沿って収容されるように、リード線Ｈｂを折り曲げる。その結果、発光ダイオードＨは、回路基板１６ｂ，１７ｂの表面に対してより高い位置で且つ発光部Ｈａが傾斜した状態で回路基板１６ｂ，１７ｂに実装される。また、図８（ｃ）（斜視図）に示すように、第２載置台５０の上部に固定部材６０を装着すると、発光ダイオードＨのリード線Ｈｂを第２載置台５０に確実に固定することができる。
【００５５】
さらに発光ダイオードＨの位置を回路基板１６ｂ，１７ｂの表面からさらに高い位置に配置するとともに、発光部Ｈａをより傾斜させたい場合には、図９（ａ）（斜視図）に示すように、回路基板１６ｂ，１７ｂに取り付けられた第１載置台４１及び第２載置台５０の上部にさらに第２載置台５０を装着する。そして、図９（ｂ）（斜視図）に示すように、発光ダイオードＨの一対のリード線Ｈｂが最上段の第２載置台５０の溝部４６内に沿って収容されるように、リード線Ｈｂを折り曲げる。その結果、発光ダイオードＨは、回路基板１６ｂ，１７ｂの表面に対してさらに高い位置で且つ発光部Ｈａがさらに大きく傾斜した状態で回路基板１６ｂ，１７ｂに実装される。また、図９（ｃ）（斜視図）に示すように、最上段の第２載置台５０の上部に固定部材６０を装着すると、発光ダイオードＨのリード線Ｈｂを最上段の第２載置台５０に確実に固定することができる。
【００５６】
なお、実施例では、第１載置台４１の上部に１つの第２載置台５０を載せた場合と２つの第２載置台５０，５０を載せた場合を示したが、３つ以上の第２載置台５０を第１載置台４１上に載せてもよい。また、第２載置台５０を、その先端面５１ａの傾斜角度が異なるものを予め複数用意しておき、これらを第１載置台４１上に載せることで、発光ダイオードＨの発光部Ｈａの傾斜角度をより細かい角度で配置することが可能になる。
【００５７】
このように、本発明の発光ダイオードＨの実装台４０は、発光ダイオードＨを回路基板１６ｂ、１７ｂに対して所望の高さ及び角度を有して回路基板１６ｂ、１７ｂに実装することができるので、例えば、スロットマシン１のモデルチェンジが行われて、発光ダイオードＨを備える上部ランプ１６及びコーナーランプ１７が変更された場合、これらランプのモデルチェンジ前の各ランプの回路基板をそのまま使用してこの回路基板上に発光ダイオードＨを第１載置台４１や第２載置台５０によって実装すると、モデルチェンジ後の上部ランプ１６のカバー部材中央１６ａ及びコーナーランプ１７のカバー部材側部１７ａに応じて発光ダイオードＨからの光をこれらのカバー部材に当てることができる。このため、モデルチェンジ後の上部ランプ１６及びコーナーランプ１７による演出効果を期待通りに発揮させることができる。
【００５８】
なお、前述した実施例では、発光ダイオードＨの実装台４０を、演出効果を高める上部ランプ１６等に使用した場合を示したが、リール２２，２３，２４の裏側に配置された照明ランプ等に適用してもよい。また発光ダイオードＨの実装台４０を搭載する遊技機の一例としてスロットマシン１を例にしたが、パチンコやゲームセンターで用いられているゲーム機などを対象にしてもよい。
【図面の簡単な説明】
【００５９】
【図１】本発明の一実施の形態に係わるスロットマシンの正面図を示す。
【図２】このスロットマシンのフロントドアを開けた状態における前扉及び筐体の内部構造図を示す。
【図３】スロットマシンの回路基板に装着された発光ダイオードの実装台を示し、同図（ａ）は実装台の側面図であり、同図（ｂ）は同図（ａ）のIII−III矢視に相当する実装台の断面図である。
【図４】実装台の第１載置台を示し、同図（ａ）は第１載置台の平面図であり、同図（ｂ）は第１載置台の正面図であり、同図（ｃ）は第１載置台の側面図である。
【図５】実装台の第２載置台を示し、同図（ａ）は第２載置台の平面図であり、同図（ｂ）は第２載置台の正面図であり、同図（ｃ）は第２載置台の側面図である。
【図６】実装台の固定部材を示し、同図（ａ）は固定部材の平面図であり、同図（ｂ）は固定部材の正面図であり、同図（ｃ）は固定部材の側面図である。
【図７】実装台の作用を説明するための斜視図を示す。
【図８】実装台の作用を説明するための斜視図を示す。
【図９】実装台の作用を説明するための斜視図を示す。
【符号の説明】
【００６０】
１  スロットマシン（遊技機）
４０  実装台
４１  第１載置台
４２ａ  先端面
４６  溝部
５０  第２載置台
６０  固定部材
Ｈ  発光ダイオード
Ｈｂ  リード線
【図１】
2007260284.tif 000003
【図２】
2007260284.tif 000004
【図３】
2007260284.tif 000005
【図４】
2007260284.tif 000006
【図５】
2007260284.tif 000007
【図６】
2007260284.tif 000008
【図７】
2007260284.tif 000009
【図８】
2007260284.tif 000010
【図９】
2007260284.tif 000011